(57)【要約】【課題】切取り線６による境界部における粘着剤層５の浸みだし部が中央除去領域８に侵入しないようにして、中央除去領域８の非粘着性を維持可能として、封筒の開封時にラベル基材３の中央除去領域８を簡単に剥がせる封緘用ラベルを提供すること。【解決手段】切取り線６を介した中央除去領域８と貼付け領域との間の境界部分に非粘着層２１を介在させることにより、粘着剤層５が浸みだし部として中央除去領域８側に侵入してこないようにすることに着目したもので、ラベル基材３の幅方向に所定間隔をあけて長さ方向に延びる左右一対の切取り線６を形成し、その間に非粘着性の中央除去領域８を形成し、中央除去領域８をラベル基材３から分離可能とし、それぞれの切取り線６からラベル基材３の幅方向の外縁側に位置して、中央除去領域８の裏面に隣接する左右一対の非粘着層２１をラベル基材３の裏面に形成したことを特徴とする。【選択図】図２
2009086043.tif 000002
【特許請求の範囲】
【請求項１】
その表面側に剥離剤層を形成した台紙と、
その裏面に粘着剤層を形成して、この台紙上に仮着するラベル基材と、を有するとともに、
このラベル基材をこの台紙から剥離して封筒の折り蓋に貼り付けることにより、この封筒を封緘するための封緘用ラベルであって、
前記ラベル基材の幅方向に所定間隔をあけて長さ方向に延びる左右一対の切取り線を形成してこの一対の切取り線の間に非粘着性の中央除去領域を形成し、この中央除去領域を前記ラベル基材から分離可能とするとともに、
それぞれの前記切取り線に沿って、かつ、それぞれの前記切取り線から前記ラベル基材の幅方向の外縁側に位置して、前記中央除去領域の裏面に隣接する左右一対の非粘着層を前記ラベル基材の前記裏面に形成したことを特徴とする封緘用ラベル。
【請求項２】
前記非粘着層は、
前記粘着剤層に非粘着剤を被覆することによりこれを形成したことを特徴とする請求項１記載の封緘用ラベル。
【請求項３】
前記非粘着剤は、
前記切取り線をまたがって、前記粘着剤層にこれを塗布することにより、前記中央除去領域および前記非粘着層を形成可能とすることを特徴とする請求項２記載の封緘用ラベル。
【請求項４】
前記非粘着層は、
前記粘着剤層に前記台紙を被覆することによりこれを形成したことを特徴とする請求項１記載の封緘用ラベル。
【請求項５】
前記非粘着層は、
前記切取り線から前記ラベル基材の幅方向の外縁側に位置して前記切取り線に平行に延びる左右一対の台紙切込み線を形成することにより、この台紙切込み線と前記切取り線との間において前記台紙が前記粘着剤層を被覆するようにしてこれを形成したことを特徴とする請求項４記載の封緘用ラベル。
【請求項６】
前記非粘着層は、
前記ラベル基材の前記裏面に前記粘着剤層を形成しないことによりこれを形成したことを特徴とする請求項１記載の封緘用ラベル。
【請求項７】
前記粘着剤層の粘着剤は、
前記切取り線をまたがって、前記ラベル基材の前記裏面にこれを形成しないことにより、前記中央除去領域および前記非粘着層を形成可能とすることを特徴とする請求項６記載の封緘用ラベル。
【発明の詳細な説明】
【技術分野】
【０００１】
本発明は封緘用ラベルにかかるもので、とくに封筒などを封緘するための封緘用ラベルに関するものである。
【背景技術】
【０００２】
従来の封緘用ラベル１について、図１３ないし図１７にもとづき概説する。
図１３は、封緘用ラベル１の平面図、図１４は、図１３のＸＩＶ−ＸＩＶ線断面図であって、封緘用ラベル１は、台紙２と、ラベル基材３と、を有する。
台紙２は、その表面側に剥離剤層４を形成している。
ラベル基材３は、その裏面に粘着剤層５を形成し、粘着剤層５を剥離剤層４に対向させるようにして台紙２上に仮着している。
【０００３】
とくに図１４に示すように、ラベル基材３から台紙２までを貫通して、かつ、ラベル基材３の幅方向に所定間隔をあけて長さ方向に延びるミシン目などによる左右一対の切取り線６を形成する。
この一対の切取り線６の間の粘着剤層５に、ニスその他の非粘着剤を塗布して非粘着剤層７を形成することにより、ラベル基材３の中央部に非粘着性の中央除去領域８を形成するとともに、この中央除去領域８の左右に隣接して、ラベル基材３の貼付け領域９を形成する。
なお、中央除去領域８の少なくともいずれか一方の端部（図１３に図示の例では、図中左側の端部）に半円形状の除去用つまみ部１０を形成している。
【０００４】
図１５は、ラベル基材３を封筒１１に貼り付けて封緘した状態を示す平面図、図１６は、図１５のＸＶＩ−ＸＶＩ線断面図であって、ラベル基材３を台紙２から剥離して、封筒１１の折り蓋１２の端縁１２Ａ部分を中央除去領域８が覆うようにして、ラベル基材３を折り蓋１２に貼り付けることにより封筒１１を封緘している。
【０００５】
図１７は、封筒１１を開封する際に中央除去領域８を除去した状態を示す、図１６と同様の断面説明図であって、除去用つまみ部１０をもって引くことにより、非粘着性の中央除去領域８をその左右一対のラベル基材３（貼付け領域９）から分離することにより、折り蓋１２すなわち封筒１１を開放可能としている。
【０００６】
しかしながら、とくに図１６に示すように、ラベル基材３（一対の貼付け領域９）を封筒１１に貼り付けたままの状態において、切取り線６による境界部における粘着剤層５が中央除去領域８の方に浸みだして浸みだし部５Ａを形成し、この浸みだし部５Ａが中央除去領域８の裏面端部を覆うことになるので、この裏面端部における非粘着性が失われ、中央除去領域８を除去して封筒１１を開封しようとしたときに、中央除去領域８の部分をうまく剥がすことができないという問題がある。
また、切取り線６に沿って中央除去領域８を切り取っているときに、折り蓋１２あるいは封筒１１自体が破れてしまうという問題がある。
【０００７】
【特許文献１】特開平９−２０４１４４号公報
【発明の開示】
【発明が解決しようとする課題】
【０００８】
本発明は以上のような諸問題にかんがみなされたもので、封筒の開封時にラベル基材の中央除去領域部分を簡単に剥がすことができる封緘用ラベルを提供することを課題とする。
【０００９】
また本発明は、開封時にラベル基材や封筒が破れることがないようにした封緘用ラベルを提供することを課題とする。
【００１０】
また本発明は、切取り線による境界部における粘着剤層の浸みだし部が中央除去領域に侵入しないようにして、中央除去領域の非粘着性を維持可能とした封緘用ラベルを提供することを課題とする。
【課題を解決するための手段】
【００１１】
すなわち本発明は、切取り線を介した中央除去領域と貼付け領域との間の境界部分に非粘着層を介在させること、この非粘着層の存在によって粘着剤層が浸みだし部として中央除去領域側に侵入してこないようにすることに着目したもので、その表面側に剥離剤層を形成した台紙と、その裏面に粘着剤層を形成して、この台紙上に仮着するラベル基材と、を有するとともに、このラベル基材をこの台紙から剥離して封筒の折り蓋に貼り付けることにより、この封筒を封緘するための封緘用ラベルであって、上記ラベル基材の幅方向に所定間隔をあけて長さ方向に延びる左右一対の切取り線を形成してこの一対の切取り線の間に非粘着性の中央除去領域を形成し、この中央除去領域を上記ラベル基材から分離可能とするとともに、それぞれの上記切取り線に沿って、かつ、それぞれの上記切取り線から上記ラベル基材の幅方向の外縁側に位置して、上記中央除去領域の裏面に隣接する左右一対の非粘着層を上記ラベル基材の上記裏面に形成したことを特徴とする封緘用ラベルである。
【００１２】
上記非粘着層は、上記粘着剤層に非粘着剤を被覆することによりこれを形成することができる。
【００１３】
上記非粘着剤は、上記切取り線をまたがって、上記粘着剤層にこれを塗布することにより、上記中央除去領域および上記非粘着層を形成可能とすることができる。
【００１４】
上記非粘着層は、上記粘着剤層に上記台紙を被覆することによりこれを形成することができる。
【００１５】
上記非粘着層は、上記切取り線から上記ラベル基材の幅方向の外縁側に位置して上記切取り線に平行に延びる左右一対の台紙切込み線を形成することにより、この台紙切込み線と上記切取り線との間において上記台紙が上記粘着剤層を被覆するようにしてこれを形成することができる。
【００１６】
上記非粘着層は、上記ラベル基材の上記裏面に上記粘着剤層を形成しないことによりこれを形成することができる。
【００１７】
上記粘着剤層の粘着剤は、上記切取り線をまたがって、上記ラベル基材の上記裏面にこれを形成しないことにより、上記中央除去領域および上記非粘着層を形成可能とすることができる。
【００１８】
なお、封緘時には、上記中央除去領域を上記封筒の上記折り蓋部分を覆うように、ラベル基材を封筒に貼り付ける。
【発明の効果】
【００１９】
本発明による封緘用ラベルにおいては、それぞれの切取り線に沿って、かつ、それぞれの切取り線からラベル基材の幅方向の外縁側に位置して、中央除去領域に隣接する左右一対の非粘着層をラベル基材の裏面に形成したので、粘着剤層が中央除去領域に侵入する可能性をなくすことができ、封筒の開封時において、中央除去領域を貼付け領域から分離除去する際にも簡単かつ容易に切取り線を切り裂くことができる。
【発明を実施するための最良の形態】
【００２０】
本発明は、中央除去領域の裏面においてこれに隣接する左右一対の非粘着層をラベル基材の裏面に形成したので、いわば、中央除去領域の貼付け領域からの分離除去を可能としたままで、中央除去領域の非粘着性を幅方向外縁側に拡張したので、封筒の開封操作を簡単かつ確実に行うことができる封緘用ラベルを実現した。
【実施例】
【００２１】
つぎに本発明の第１の実施例による封緘用ラベル２０を図１ないし図４にもとづき説明する。ただし、図１３ないし図１７と同様の部分には同一符号を付し、その詳述はこれを省略する。
図１は、封緘用ラベル２０の平面図、図２は、図１のＩＩ−ＩＩ線断面図であって、封緘用ラベル２０は、帯状の前記台紙２に複数枚の前記ラベル基材３を仮着した構成を有する。
【００２２】
封緘用ラベル２０は、前述の封緘用ラベル１（図１３）と同様に、ラベル基材３の幅方向に所定間隔をあけて長さ方向に延びる左右一対の切取り線６を形成して、この一対の切取り線６の間に非粘着剤層７を設けて非粘着性の中央除去領域８を形成し、この中央除去領域８をラベル基材３（一対の貼付け領域９）から分離可能としている。
【００２３】
さらに封緘用ラベル２０は、それぞれの切取り線６に沿って、かつ、それぞれの切取り線６からラベル基材３の幅方向の外縁側に位置して、中央除去領域８の裏面に隣接する左右一対の非粘着層２１をラベル基材３の裏面に形成している。
この非粘着層２１は、ニスその他のいわゆる糊殺し用の薬剤などからなる非粘着剤を粘着剤層５に被覆することによりこれを形成しているもので、非粘着剤層７を中央除去領域８から幅方向における外縁側に向かって事実上拡大している。
すなわち非粘着層２１の非粘着剤は、切取り線６をまたがって、粘着剤層５にこれを塗布することにより、切取り線６を挟んで互いに隣接する中央除去領域８の非粘着剤層７および非粘着層２１を一体的に形成可能とする。
【００２４】
図３は、封緘用ラベル２０から台紙２を剥がして封緘用ラベル２０（ラベル基材３）を封筒１１（折り蓋１２）に貼り付けた状態の、図２と同様の断面図であって、図中の矢印に示すように、中央除去領域８および非粘着層２１以外の左右一対の貼付け領域９がラベル基材３全体を封筒１１（折り蓋１２）に貼り付いている。
【００２５】
こうした構成の封緘用ラベル２０において、封筒１１の開封にあたって中央除去領域８を簡単に取り除くことができる。
すなわち、図４は、封筒１１を開封する際に中央除去領域８を除去した状態を示す、図３と同様の断面説明図であって、中央除去領域８の左右外縁側には、非粘着層２１が位置しているので、粘着剤層５の浸みだし部５Ａ（図１６）が万が一形成されたとしても、これが中央除去領域８まで至ることはなく、除去用つまみ部１０をつまんで中央除去領域８を除去する操作を確実かつ簡単に行うことができ、ラベル基材３や封筒１１ないし折り蓋１２が不用意に破けてしまうことはない。
【００２６】
なお、ラベル基材３を帯状の台紙２上に複数枚を仮着しておくことができるので、任意のプリンター（図示せず）に封緘用ラベル２０を装填し、ラベル基材３の表面に所定内容の情報を印字表示することができる。
【００２７】
図５は、本発明の第２の実施例による封緘用ラベル３０の平面図、図６は、図５のＶＩ−ＶＩ線断面図であって、封緘用ラベル３０は、前述の封緘用ラベル２０（図１）と同様に、台紙２と、ラベル基材３と、を有し、前記左右一対の切取り線６により非粘着性の中央除去領域８を形成している。
さらに封緘用ラベル３０は、それぞれの切取り線６に沿って、かつ、それぞれの切取り線６からラベル基材３の幅方向の外縁側に位置して、中央除去領域８の裏面に隣接する左右一対の非粘着層３１をラベル基材３の裏面に形成している。
【００２８】
しかして、封緘用ラベル３０における非粘着層３１および中央除去領域８の非粘着性は、ラベル基材３の裏面における粘着剤層５に台紙２を被覆することによりこれを保持している。
すなわち、非粘着層３１は、切取り線６からラベル基材３の幅方向の外縁側に位置して切取り線６に平行に延びる左右一対の台紙切込み線３２を形成することにより、この台紙切込み線３２と切取り線６との間において台紙２が粘着剤層５を被覆するようにしてこれを形成している。
また、中央除去領域８の裏面には、一対の切取り線６の間に位置する台紙２が仮着しており、その非粘着性を保持している。
【００２９】
図７は、封緘用ラベル３０から台紙２を剥がして封緘用ラベル３０（ラベル基材３）を封筒１１（折り蓋１２）に貼り付けた状態の、図６と同様の断面図であって、中央除去領域８および非粘着層３１以外の左右一対の貼付け領域９が封筒１１（折り蓋１２）に貼り付いている。
すなわち、中央除去領域８および非粘着層３１にわたって台紙２が粘着剤層５に裏打ちされていることになるので、貼付け領域９のみが封筒１１およびその折り蓋１２に貼り付けられた状態である。
【００３０】
こうした構成の封緘用ラベル３０において、封緘用ラベル２０と同様に、封筒１１の開封時に中央除去領域８を簡単に取り除くことができる。
すなわち、図８は、封筒１１を開封する際に中央除去領域８を除去した状態を示す、図７と同様の断面説明図であって、中央除去領域８の左右外縁側には、台紙２を有する非粘着層３１が位置しているので、粘着剤層５の浸みだし部５Ａが中央除去領域８まで至ることはなく、除去用つまみ部１０をつまんで中央除去領域８を除去する操作を確実かつ簡単に行うことができる。
【００３１】
図９は、本発明の第３の実施例による封緘用ラベル４０の平面図、図１０は、図９のＸ−Ｘ線断面図であって、封緘用ラベル４０は、前述の封緘用ラベル２０（図１）および封緘用ラベル３０（図５）と同様に、台紙２と、ラベル基材３と、を有し、前記左右一対の切取り線６により非粘着性の中央除去領域８を形成している。
さらに封緘用ラベル４０は、それぞれの切取り線６に沿って、かつ、それぞれの切取り線６からラベル基材３の幅方向の外縁側に位置して、中央除去領域８の裏面に隣接する左右一対の非粘着層４１をラベル基材３の裏面に形成している。
【００３２】
しかして、封緘用ラベル４０における非粘着層４１および中央除去領域８の非粘着性は、ラベル基材３の裏面に粘着剤層５を形成しないことによりこれを保持している。
すなわち、粘着剤層５の粘着剤は、切取り線６をまたがって、ラベル基材３の裏面にこれを形成しないことにより、中央除去領域８および非粘着層４１を形成可能とする
【００３３】
図１１は、封緘用ラベル４０から左右一対の貼付け領域９に仮着している台紙２二枚を剥がして封緘用ラベル４０（ラベル基材３）を封筒１１（折り蓋１２）に貼り付けた状態の、図１０と同様の断面図であって、非粘着層４１以外の左右一対の貼付け領域９が封筒１１（折り蓋１２）に貼り付いている。
すなわち、中央除去領域８および非粘着層４１にわたって粘着剤層５が形成されていないので、貼付け領域９のみが封筒１１およびその折り蓋１２に貼り付けられた状態である。
【００３４】
こうした構成の封緘用ラベル４０において、封緘用ラベル２０、３０と同様に、封筒１１の開封時に中央除去領域８を簡単に取り除くことができる。
すなわち、図１２は、封筒１１を開封する際に中央除去領域８を除去した状態を示す、図１１と同様の断面説明図であって、中央除去領域８の左右外縁側には、非粘着層４１が位置しているので、粘着剤層５の浸みだし部５Ａが中央除去領域８まで至ることはなく、除去用つまみ部１０をつまんで中央除去領域８を除去する操作を確実かつ簡単に行うことができる。
【図面の簡単な説明】
【００３５】
【図１】本発明の第１の実施例による封緘用ラベル２０の平面図である。
【図２】同、図１のＩＩ−ＩＩ線断面図である。
【図３】同、封緘用ラベル２０から台紙２を剥がして封緘用ラベル２０（ラベル基材３）を封筒１１（折り蓋１２）に貼り付けた状態の、図２と同様の断面図である。
【図４】同、封筒１１を開封する際に中央除去領域８を除去した状態を示す、図３と同様の断面説明図である。
【図５】本発明の第２の実施例による封緘用ラベル３０の平面図である。
【図６】同、図５のＶＩ−ＶＩ線断面図である。
【図７】同、封緘用ラベル３０から台紙２を剥がして封緘用ラベル３０（ラベル基材３）を封筒１１（折り蓋１２）に貼り付けた状態の、図６と同様の断面図である。
【図８】同、封筒１１を開封する際に中央除去領域８を除去した状態を示す、図７と同様の断面説明図である。
【図９】本発明の第３の実施例による封緘用ラベル４０の平面図である。
【図１０】同、図９のＸ−Ｘ線断面図である。
【図１１】同、封緘用ラベル４０から左右一対の貼付け領域９に仮着している台紙２二枚を剥がして封緘用ラベル４０（ラベル基材３）を封筒１１（折り蓋１２）に貼り付けた状態の、図１０と同様の断面図である。
【図１２】同、封筒１１を開封する際に中央除去領域８を除去した状態を示す、図１１と同様の断面説明図である。
【図１３】従来の封緘用ラベル１の平面図である。
【図１４】同、図１３のＸＩＶ−ＸＩＶ線断面図である。
【図１５】同、ラベル基材３を封筒１１に貼り付けて封緘した状態を示す平面図である。
【図１６】同、図１５のＸＶＩ−ＸＶＩ線断面図である。
【図１７】同、封筒１１を開封する際に中央除去領域８を除去した状態を示す、図１６と同様の断面説明図である。
【符号の説明】
【００３６】
１  封緘用ラベル（従来、図１３）
２  台紙
３  ラベル基材
４  剥離剤層
５  粘着剤層
５Ａ  粘着剤層５の浸みだし部（図１６）
６  切取り線
７  非粘着剤層
８  中央除去領域
９  貼付け領域
１０  除去用つまみ部
１１  封筒（図１５）
１２  封筒１１の折り蓋
１２Ａ  折り蓋１２の端縁
２０  封緘用ラベル（第１の実施例、図１）
２１  非粘着層
３０  封緘用ラベル（第２の実施例、図５）
３１  非粘着層
３２  台紙切込み線
４０  封緘用ラベル（第３の実施例、図９）
４１  非粘着層
【図１】
2009086043.tif 000003
【図２】
2009086043.tif 000004
【図３】
2009086043.tif 000005
【図４】
2009086043.tif 000006
【図５】
2009086043.tif 000007
【図６】
2009086043.tif 000008
【図７】
2009086043.tif 000009
【図８】
2009086043.tif 000010
【図９】
2009086043.tif 000011
【図１０】
2009086043.tif 000012
【図１１】
2009086043.tif 000013
【図１２】
2009086043.tif 000014
【図１３】
2009086043.tif 000015
【図１４】
2009086043.tif 000016
【図１５】
2009086043.tif 000017
【図１６】
2009086043.tif 000018
【図１７】
2009086043.tif 000019